(57)【特許請求の範囲】
【請求項１】
料金を確定するコンピュータ（１７）および確定された料金を表示する表示装置（６）を使用して、通信端末（１）上に料金を表示する装置であって、特定顧客向け料金レートを計算する計算モジュール（５）が備えられており、この計算モジュールは、第一のデータメモリ（７）から特定顧客向けパラメータデータを呼び出し、独立したプログラムメモリ（１０）から指定可能な料金レートアルゴリズムを呼び出し、これらを使用して、個別の通信接続の現在の料金を計算し、対応する情報信号を表示装置（６）に供給するように構成されたものであり、特定顧客向けパラメータデータを有する第一のデータメモリ（７）および／または指定可能な料金レートアルゴリズムを有するプログラムメモリ（１０）が計算モジュール（５）とは別に配置されており、パラメータデータおよび／または料金レートアルゴリズムは、通信ネットワーク（３）を介して計算モジュール（５）に料金レート情報として伝送することができ、該伝送が、料金レート情報に変更があった場合にのみ行われ、料金レート情報は、計算モジュール（５）に暫定的に記憶することでき、接続が確立されるたびに、計算モジュールから呼び出すことができるように構成されていることを特徴とする装置。
【請求項２】
計算モジュールが通信端末に組み込まれることを特徴とする請求項１に記載の装置。
【請求項３】
計算モジュール（５）が通信端末（１）とは別に配置されることを特徴とする請求項１に記載の装置。
【請求項４】
計算モジュール（５）に接続されて、通信端末（１）には組み込まれていない別個の表示装置（６）が、確定した料金を表示するために備えられていることを特徴とする請求項３に記載の装置。
【請求項５】
特定顧客向けパラメータデータを有する第一のデータメモリ（７）が、顧客モジュールとして計算モジュール（５）に組み込まれていることを特徴とする請求項１から４のいずれか一項に記載の装置。
【請求項６】
顧客モジュールが交換可能であることを特徴とする請求項５に記載の装置。
【請求項７】
第一のデータメモリ（７）がリードオンリーメモリであることを特徴とする請求項５または６に記載の装置。
【請求項８】
通信ネットワーク（３）からの情報信号で第一のデータメモリ（７）を上書きすることができることを特徴とする請求項５または６に記載の装置。
【請求項９】
第一のデータメモリ（７）が磁気カセットテープ（カートリッジ）の形態であることを特徴とする請求項８に記載の装置。
【請求項１０】
第一のデータメモリ（７）がチップカードの形態であることを特徴とする請求項８に記載の装置。
【請求項１１】
顧客モジュールが、顧客料金レートコンピュータ（１７）が特に組み込まれたチップカードの形態であることを特徴とする請求項５から１０のいずれか一項に記載の装置。
【請求項１２】
プログラムメモリ（１０）が、種々のモジュレータ、特に、距離依存モジュレータ（１１）、容量依存モジュレータ（１２）、料金レートパケットモジュレータ（１３）、対象依存モジュレータ（１４）および／または時間依存モジュレータ（１５）から構成されていることを特徴とする請求項１から１１のいずれか一項に記載の装置。
【請求項１３】
課金期間中に通信端末（１）が累積した料金の合計を確定するカウンタ（９）が備えられていることを特徴とする請求項１から１２のいずれか一項に記載の装置。
【請求項１４】
特定顧客向けの利用しきい値を、第一のデータメモリ（７）から呼び出すことができ、このしきい値を超過した場合に、より有利な特定顧客向け料金を使用して、現在の料金を計算することができることを特徴とする請求項１３に記載の装置。
【請求項１５】
呼出し番号を解析するための装置（８）が提供されることを特徴とする請求項１から１４のいずれか一項に記載の装置。
【請求項１６】
特定顧客向け対象呼出し番号を第一のデータメモリ（７）から呼び出すことができ、この番号に、通信端末（１）からダイヤルしたときに、その他の全ての対象呼出し番号より有利な特定顧客向け料金が使用されることを特徴とする請求項１５に記載の装置。
【請求項１７】
例えば接続距離、料金レートパケット、時刻、日付などの、通信ネットワーク（３）の全加入者に有効なパラメータデータを呼び出すことができる別のデータメモリ（１６）が備えられていることを特徴とする請求項１から１６のいずれか一項に記載の装置。
【請求項１８】
請求項１から１７に記載された料金を表示する装置を有する通信端末（１）であって、特定顧客向け料金レートを計算するための計算モジュール（５）が備えられており、又、別に配置されたメモリ（７、１０）から特定顧客向けパラメータデータおよび／または料金レートアルゴリズムを受け取るための手段が備えられており、特定顧客向けパラメータデータおよび／または料金レートアルゴリズムは、通信ネットワーク（３）を介して計算モジュール（５）に伝送することができることを特徴とする通信端末。
【請求項１９】
料金を確定するコンピュータ（１７）および確定された料金を表示する表示装置（６）を有し通信端末（１）上に料金を表示する装置を操作する方法であって、特定顧客向け料金レートを計算するのに使用される計算モジュール（５）が、第一のデータメモリ（７）から特定顧客向けパラメータデータを呼び出し、独立したプログラムメモリ（１０）から指定可能な料金レートアルゴリズムを呼び出し、これらを使用して、計算モジュールが個別の通信接続の現在の料金を計算し、対応する情報信号を表示装置（６）に供給し、パラメータデータおよび／または料金レートアルゴリズムは、通信ネットワーク（３）を介して、特定顧客向けパラメータデータを有する第一のデータメモリ（７）および／または指定可能な料金レートアルゴリズムを有するプログラムメモリ（１０）から、別に配置された計算モジュール（５）に、料金レート情報として伝送され、該伝送が、料金レート情報に変更があった場合にのみ行われ、料金レート情報は、計算モジュール（５）に暫定的に記憶することでき、接続が確立されるたびに、計算モジュールから呼び出すことができることを特徴とする方法。
【請求項２０】
請求項８から１１のいずれか一項に記載された装置を操作する請求項１９に記載の方法であって、変更された特定顧客向けパラメータデータが、通信ネットワーク（３）を介して中央計算機（４）から顧客モジュールに自動的にダウンロードされることを特徴とする方法。
【請求項２１】
請求項１４に記載された装置を操作する請求項１９または２０に記載の方法であって、特定顧客向け利用しきい値が、それぞれの顧客の以前の課金期間中の利用の統計値から決定されることを特徴とする方法。
【発明の詳細な説明】
【０００１】
【発明の属する技術分野】
本発明は、料金を確定するための計算機および確定した料金を表示するための表示装置を有する、電気通信端末上に料金を表示する装置に関する。
【０００２】
【従来の技術】
このような装置はよく知られている。これらの機能については例えば、「Textbook of Telecommunications」, fifth edition, vol.1, pp.614-620, 19..年, Technical Publishers Schiele & Schoen GmbH, Berlinに記載されている。
【０００３】
知られている通信システムでは、ネットワーク加入者は普通、おもに料金パルスを通じて料金情報を受け取る。料金パルスはその後、それぞれの通信端末で合計されまたは処理される。現在、料金パルス数またはこれに対応する料金は、有料通信接続の持続時間および距離によって決定されている。秒単位まで正確な計算によって、これらのパルスを、加入者に対する表示として使用することはもはや不可能である。
【０００４】
時刻によって異なる料金レート、ウィークデーと休日とで異なる料金レートに加えて、かつてなく複雑で、細分化された料金レートモデルが導入されている。例えば、大口利用者に対する割引等、多くのその他のパラメータも考慮しなければならず、将来的には、料金レートモデルを、多様化、さらには個別化が可能なものとしなければならない。しかしこの目的のためには、合計料金などの適用可能な情報が、通信接続中、または接続終了後にそれに応じて処理されなければならない。複雑な計算から導き出されるこのようなその時点までの料金を、通信接続中、または接続終了直後に現在の通信端末上に表示することはできない。せいぜい、後になって、それぞれの通信ネットワークまたは他の通信媒体を通じてこれらの情報が加入者に伝送される程度である。
【０００５】
【発明が解決しようとする課題】
以上に鑑み、本発明の目的は、概ね単純な手段によって、始めに述べた種類の通信端末上に料金を表示する装置を個別の料金が通信端末上に表示されるように修正することにある。
【０００６】
【課題を解決するための手段】
本発明のこの目的は、特定顧客向け料金レートを計算する計算モジュールを提供することによって達成される。計算モジュールは、特定顧客向けパラメータデータを第一のデータメモリに、指定可能な料金レートアルゴリズムをプログラムメモリに要求し、この情報を使用して、個別の通信接続の現在の料金を計算し、対応する情報信号を表示装置に送信する。
【０００７】
本発明は、加入者に対して適用可能な料金レートモデルについての情報が、通信ネットワークに保持されるだけでなく、通信端末、特に標準的な料金レートモデルを有する通信端末内で局所的に入手できるようにするという発想に基づいている。これによって、例えば、ある顧客または顧客集団に対する個別の特別料金や、時期を限定した広告手段としての割引料金などの新しい料金レート構造の導入の際の柔軟性が非常に増大する。
【０００８】
本発明の装置の特にコンパクトな一構成では、計算モジュールは通信端末内に組み込まれる。これによって、本発明の装置を、特に空間節約的で技術的に簡単な方法で実現することが可能となる。
【０００９】
代替の構成では、計算モジュールは、通信端末とは別に配置される。これは、既存の古い通信端末の継続使用が可能であるという特別な利点を有する。
【００１０】
この構成の特に有利な発展形態では、確定した料金を表示するための、通信端末に組み込まれていない別個の表示装置が、計算モジュールに接続される。これによって、通信端末の潜在的な表示装置への専用のインタフェースが必要でなくなる。さらに、表示装置を含まない最も単純な通信端末の利用が可能となる。
【００１１】
特に好ましい他の構成では、特定顧客向けパラメータデータを有する第一のデータメモリが、顧客モジュールとして計算モジュールに組み込まれる。これによって本発明の装置は、特にコンパクトになり、データが常時即座に入手可能となる。
【００１２】
この構成の発展形態では、顧客モジュールが交換可能である。この構成には、料金レートを変更する場合に、古い顧客モジュールを新しいものと取り換えることができるという利点がある。
【００１３】
本発明の装置の前記構成をさらに発展させ、第一のデータメモリをリードオンリーメモリとすることができる。これによって、通信ネットワークと通信端末の間の複雑なダウンロード手順を実施しなくても済み、利用者の操作が単純になる。
【００１４】
代替の発展構成では、通信ネットワークからの情報信号で第一のデータメモリを上書きすることができる。こうすると、料金の変更がより容易になり、集中管理され、時間遅れなしに即座にダウンロード可能となる。
【００１５】
他の発展構成では、上書き可能な第一のデータメモリを磁気カセットテープ（カートリッジ）の形態とすることができる。現在これは、特に大きなメモリ容量を有するので、技術的な多くの選択が可能になる。
【００１６】
代替構成として、上書き可能な第一のデータメモリをチップカードの形態とすることもできる。チップカードとすると、料金レートアルゴリズムを処理する処理装置も同時に組み込むことができる。
【００１７】
特にコンパクトな構成では、顧客モジュールは、顧客料金計算器が組み込まれたチップカードの形態をとる。
【００１８】
特定顧客向けパラメータデータを有する第一のデータメモリおよび／または指定可能な料金レートアルゴリズムを有するプログラムメモリが計算モジュールとは別に配置されること、およびパラメータデータおよび／または料金レートアルゴリズムを通信ネットワークを介して通信計算モジュールに伝送することができることを特徴とする本発明の装置の構成が特に好ましい。このようにすると、情報および更新情報を簡単に、何よりも集中的にそれぞれの通信端末に送信されることができ、通信ネットワークのオペレータから、ネットワークに接続した全ての利用者へのロード手順が何の問題もなく実行される。
【００１９】
課金時間中に累積した料金の合計を確定する計数装置が提供された構成が特に好ましい。これによって、それぞれの通信端末の利用者は、累積された交換料金および通信ネットワークのオペレータに支払わなければならないその他のサービスについて問い合わせることができる。
【００２０】
この構成の特に有利な発展構造では、特定の顧客の利用に対するしきい値を第一のデータメモリから呼び出すことができる。このしきい値を超えると、その時点の料金の計算は、より有利な特定顧客向け料金レートを使用して実施される。これによって、個別の利用に対して単純な方法で割引を適用することができる。この割引は、それぞれの通信サービスをより多く利用してもらうための刺激となり、したがって、それぞれのサービスプロバイダシステムをより活用してもらうための刺激となって、サービス提供者のセールスが増大する。
【００２１】
呼出し番号解析用の装置が提供された本発明の装置の構成も特に有利である。これによって例えば、異なる料金帯を自動的に決定し、これを使って料金を計算することができるようになる。
【００２２】
この構成の特に好ましい発展形態では、特定顧客対象呼出し番号を第一のデータメモリから呼び出すことができる。特定顧客向け対象呼出し番号に通信端末からダイヤルしたときには、その他の全ての対象呼出し番号より有利な特定顧客向け料金レートが適用される。これは、顧客の利用をさらに刺激し、提供される通信サービスの利用の増大が期待される。
【００２３】
最後に、本発明の装置の好ましい一構成では、例えば接続距離、料金パケット、時刻、日時などの通信ネットワークの全加入者に有効なパラメータデータを読み出すことができる別のデータメモリが提供される。これによって、現在の料金を計算するための完全で、一般的に適用できる料金レートモデルが使用可能となる。
【００２４】
前述の装置を操作する方法も、本発明の範囲に含まれる。この方法の特徴は、通信接続が確立されている間に、特定顧客向けパラメータデータが、第一のデータメモリから計算モジュールにダウンロードされ、次いで、通信接続の現在の料金を計算する料金レートアルゴリズムがプログラムメモリから呼び出され、計算された料金が表示装置上に表示されることである。
【００２５】
本発明の方法の特に好ましい変形方法では、変更された特定顧客向けパラメータデータが通信ネットワークを介して中央計算機から顧客モジュールに自動的にダウンロードされる。これによって、料金変更が規定され、即座に変換されるだけでなく、料金変更を、時間制御された方法で通信ネットワークに入れることができるようになる。この変形方法を応用する他の可能性は、通信端末を次回使用する際に、料金変更を、対応するパラメータメモリまたは料金レートアルゴリズム用のプログラムメモリに収容できることである。ある顧客に対しては、計画的な変更を、より速く、順番にとらわれずに、または、いつでも実施でき、所定の時刻に活動状態にすることができる。
【００２６】
ある利用しきい値を上まわった場合により有利な特定顧客向け料金を適用することに関連して、これらのしきい値が、以前の課金期間中のそれぞれの顧客による利用の統計値から決定されると有利である。このようにすると、サービス提供者にとって特に望ましい最終利用者による利用に特に有利となる。
【００２７】
本発明のその他の利点は、本明細書の記載および図面から見い出すことができる。本発明に従って、前述し、これから述べる特徴を単独で、または組み合わせて利用することができる。先に指摘し、説明された構成が本発明の全ての構成であると捉えるべきではなく、これらをむしろ、本発明を記述するための例示的な特徴を有するものと捉えるべきである。
【００２８】
【発明の実施の形態】
本発明を図面で示し、一実施形態によって詳細に説明する。
【００２９】
本発明に基づくシステムの基本的な発想は、ネットワークに記憶された一般的な料金レートモデルを通信ネットワークの加入者に適用できるだけではなく、特に異なる標準的な料金レートモデルを同様に使用して、個別の料金レートを通信端末内で局所的に使用できるようにするという点にある。それぞれの通信端末間の距離が利用料金の計算中に役割を果たした直後に、記憶されたこのような情報が、通信端末のそれぞれの位置に個別に適合されなければならない。
【００３０】
以下に、本発明の範囲に含まれる二つの可能性を示す。これらは、料金レートモデルについて必要な情報を通信端末内に局所的に記憶するものである。
【００３１】
１．  料金レート情報が、通信ネットワークオペレータから入手できるプラグインモジュールを介して通信端末に直接に入力される。ネットワークオペレータは、このプラグインモジュールがロードされている間にも将来のロケーションを考えることができる。このようなプラグインモジュールに加えて、現在知られている別個の料金カウンタと同様の別個の装置を想定することもできる。この場合には新しい端末が必要となるであろう。
【００３２】
２．  利用者接続の確立段階で、または利用者接続から独立したロード接続によって、料金レートモデルについての情報が、通信ネットワークから通信端末にダウンロードされる。この方法は、第一の方法に比べて二つの利点を有する。その一つは、通信ネットワーク中のどこに通信端末が位置するかを通信ネットワークが通信端末に通知するので、通信端末は、一切の変更なしで移動可能な状態のままでいることができることであり、もう一つは、料金レートモデルを、通信ネットワーク内において集中的に変更でき、変更後即座に使用可能となることである。
【００３３】
両方の方法にはそれぞれ存在理由がある。第一の方法では、通信ネットワークのコストが少なくて済み、基本的に携帯用途ではない通信端末に特に適している。第二の方法では、ネットワークオペレータが実行するその後の修正に対する柔軟性が増大する。
【００３４】
想像される第三の方法は、前述の二つの方法の複合である。２の方法と同様に、情報は、通信ネットワークから通信端末にダウンロードされ、ネットワークオペレータに対して十分な柔軟性が維持される。しかし、この料金レートのダウンロードは、接続が確立されるたびに実施されるのではなく、料金レートが変更されたときのみに実施される。このような変更までの間、料金レート情報は、方法１に記載したと同様のプラグインモジュールとして設計することができるモジュールに記憶され、接続が確立されるたびに通信端末によって呼び出される。このようにして、先に述べた第一の方法の利点も利用することができる。
【００３５】
ただし、全ての方法で表示装置が好都合に提供され、計算されたそれぞれの料金が、通信端末上、または通信端末に隣接した場所に表示される。このようにして利用者は、現在累積している通信接続料金に応じて行動する機会を得る。
【００３６】
図１に、個々の料金を表示する本発明の装置の可能な実施例を示す。交換装置２は通信端末１を、通信ネットワーク３に接続する。このネットワークは、中央計算機４によって操作され、これからサービスを受ける。計算モジュール５は通信端末１に接続されて、料金を計算し、通信端末１の個別の通信接続をそれぞれ表示する。
【００３７】
図示の実施形態の計算モジュール５は、第一のデータメモリ７を含む。このデータメモリを例えば、挿入可能な顧客モジュールとして設計することが可能である。顧客モジュールは、接続料金を計算するための特定顧客向けデータを含む。このようなデータには例えば、ネットワークが与えたネットワーク内の位置（課金が距離によって決定される場合）、専用料金などがある。この情報は、局所的に入力される（チップカード）か、局所的に記憶されるか、またはネットワーク３からダウンロードされる。これらの機構の組合わせを想定することもできる。
【００３８】
プログラムメモリ１０は、指定可能な料金レートアルゴリズムを記憶し、このアルゴリズムと第一のデータメモリ７から呼び出された特定顧客向けパラメータデータをともに使用して、顧客料金レートコンピュータ１７が個別の通信接続の現在の料金をそれぞれ計算する。計算された料金は、表示コンピュータ１８に送信され、さらに、表示コンピュータ１８によって一方で、適当な形態で表示装置６に送信され、通信端末の利用者の目に見えるようになり、他方で、カウンタ９に入力され、所定の期間中に累算した料金の合計が記憶される。この料金の合計も表示装置６上で見ることができる。
【００３９】
顧客料金レートコンピュータ１７ならびにデータメモリ７をチップカード上に組み込むこともできる。
【００４０】
顧客の料金レート自体は、異なるモジュレータによって検討される一連の要素によって決定される。得られたレートは、その他の情報（特に時間）とともに料金に変換され、表示される。この例では、距離依存モジュレータ１１、容量依存モジュレータ１２、料金レートパケットモジュレータ１３、対象依存モジュレータ１４および時間依存モジュレータ１５が提供されている。さらに、日付、時刻、クロックパルス、料金レートパケット、接続間の距離など、通信ネットワーク３の加入者全てに有効なパラメータデータを、別のデータメモリ１６からプログラムメモリ１０にロードし、これらを考慮して、現在の料金を計算することができる。
【００４１】
例えば、所定数の対象呼出し番号に対して、より有利な特定顧客向け料金レートを提供するために、計算モジュール５は、呼出し番号解析装置８を含む。有利な料金レートが適用されるそれぞれの対象呼出し番号を、第一のデータメモリ７からプログラムメモリ１０に送信することができる。
【００４２】
料金の総合計を生成すること、最後ｎ回の課金期間の合計を記憶すること、課金期間の関数として機能するように現在の合計器をリセットすること、個別の料金を記憶することなど、多数の特徴を、所望の追加機能に応じて追加することが可能である。これらは図１の対応する接続矢印で示されている。
【００４３】
本発明のいくつかの構成では、距離に依存した対応する基本料金レートを、例えば呼出し番号解析用の装置８に記憶することもできる。
【００４４】
また、通信端末１または中央計算機４からのスルー接続、リリース、または他の同様の動作のために、表示コンピュータ１８に直接アクセスできる線路１９が提供される。
【図面の簡単な説明】
【図１】端末内で局所的に使用可能な情報に基づき、本発明にしたがって現在の料金を表示する操作の概略図である。
【符号の説明】
１  通信端末
２  交換装置
３  通信ネットワーク
４  中央計算機
５  計算モジュール
６  表示装置
７  第一のデータメモリ
８  呼出し番号解析装置
９  カウンタ
１０  プログラムメモリ
１１  距離依存モジュレータ
１２  容量依存モジュレータ
１３  料金レートパケットモジュレータ
１４  対象依存モジュレータ
１５  時間依存モジュレータ
１６  データメモリ
１７  顧客料金レートコンピュータ
１８  表示コンピュータ
１９  線路
【図１】
0004163780.tif 000002